(57)【要約】      （修正有）【課題】天井材の厚さ寸法にバラツキがあっても、天井材の塵埃等を室内に飛散させることがなく、構成部品の在庫管理が容易な換気装置を提供する。【解決手段】このため、天井裏に設置され、天井の開口部８から室内側に開口する開口部を有するとともに、内側面に受け金具２０を取り付けたダクト本体１０と、前記ダクト本体１０の内側に摺動可能に装着されるハカマ３０と、前記ハカマ３０の内側面に取り付けられる補助金具５０と、前記補助金具５０に中央部を係合する一方、両側腕部６２を前記ダクト本体１０の内側面に取り付けた前記受け金具２０の吊り下げ溝に係合する吊り下げ用支持バネ６０と、からなる構成としてある。【選択図】図３
2011075223.tif 000002
【特許請求の範囲】
【請求項１】
天井裏に設置され、天井の開口部から室内側に開口する開口部を有するとともに、内側面に受け金具を取り付けたダクト本体と、前記ダクト本体の内側に摺動可能に装着されるハカマと、前記ハカマの内側面に取り付けられる補助金具と、前記補助金具に中央部を係合する一方、両側腕部を前記ダクト本体の内側面に取り付けた前記受け金具の吊り下げ溝に係合する吊り下げ用支持バネと、からなることを特徴とする換気装置。
【請求項２】
補助金具が、ハカマに取り付ける際に上下方向にスライド調整可能であることを特徴とする請求項１に記載の換気装置。
【請求項３】
補助金具が、ハカマに取り付ける際に少なくとも９０度回転させた状態で固定できることを特徴とする請求項１または２に記載の換気装置。
【請求項４】
ダクト本体が電動ファンを備えるとともに、屋外に設置した給排気口に連通する前記ダクト本体の開口部に、連動シャッターを備えたことを特徴とする請求項１ないし３のいずれか１項に記載の換気装置。
【発明の詳細な説明】
【技術分野】
【０００１】
本発明は換気装置、特に、換気装置の取付構造に関する。
【背景技術】
【０００２】
従来、換気装置の取付構造としては、例えば、特許文献１に示すように、コイル部からＶ字状に開いた二本の腕が延びる捩りコイルバネで換気装置本体に着脱可能に吊支持され、その捩りコイルバネは、前記コイル部が背面側に突出する一体の二列の壁の間に収められ、同コイル部を貫く固定ピンが壁間に挿通されて取付けられている換気装置の化粧グリルであって、前記固定ピンには基部に前記壁に当るフランジが設けられていて、同固定ピンの先が突き出す側の前記壁には同固定ピンの傾きを規制する傾斜防止リブが一体に設けられた換気装置の化粧グリルが開示されている。
すなちわ、特許文献１では、その図１に示すように、外壁５に捩りコイルバネ４を介して化粧グリル１を上下にスライド可能に取り付けることが開示されている。
【先行技術文献】
【特許文献】
【０００３】
【特許文献１】特開２００７−２７１１７９号公報
【発明の概要】
【発明が解決しようとする課題】
【０００４】
しかしながら、前述の換気装置の取付構造では、上下方向の調整範囲が捩りコイルバネ４の弾性変形の範囲内に限定される。一方、施工現場においては天井ふところに大小があるだけでなく、施工する天井材の厚さ寸法も同一でない。このため、例えば、ダクト本体の下端面を前記天井材の上面に取り付けた場合に、天井材の厚さ寸法が大きすぎると、前記ダクト本体に化粧グリルを取り付けることができず、天井材の断面が露出し、見映えが悪いだけでなく、露出部分から天井材の塵埃等が室内側に飛散する。このような不具合を解消すべく、いわゆるハカマをダクト本体の内側に装着して調整することが考えられている。しかし、前記ハカマを装着する施工法では、施工現場に応じた外形寸法を有する多種類のハカマを準備する必要があり、在庫管理に手間がかかる。さらに、多種類のハカマを準備したとしても、施工現場における施工寸法のバラツキの全てに対応することは容易でないという問題点がある。
本発明に係る換気装置は、天井材の厚さ寸法にバラツキがあっても、天井材の塵埃等を室内に飛散させることがなく、構成部品の在庫管理が容易な換気装置を提供することを課題とする。
【課題を解決するための手段】
【０００５】
本発明に係る換気装置は、前記課題を解決すべく、天井裏に設置され、天井の開口部から室内側に開口する開口部を有するとともに、内側面に受け金具を取り付けたダクト本体と、前記ダクト本体の内側に摺動可能に装着されるハカマと、前記ハカマの内側面に取り付けられる補助金具と、前記補助金具に中央部を係合する一方、両側腕部を前記受け金具の吊り下げ溝に係合する吊り下げ用支持バネと、からなる構成としてある。
【発明の効果】
【０００６】
本発明によれば、補助金具に係合した吊り下げ用支持バネを介してハカマをダクト本体に組み付けることができるので、天井材の厚さ寸法が異なっていても、ハカマを施工現場で上下方向に位置調整して取り付けることができる。このため、天井材の断面を被覆でき、見映えが良く、天井材の塵埃等が室内に飛散することがないとともに、多種類のハカマを在庫する必要もないので、部品管理が簡単になる。
【０００７】
本発明の実施形態としては、補助金具が、ハカマに取り付ける際に上下方向にスライド調整可能であってもよい。
本実施形態によれば、補助金具を介して吊り下げ用支持バネを上下方向にスライド調整できるので、汎用性の高い換気装置が得られ、部品管理がより一層簡単になる。
【０００８】
本発明の他の実施形態としては、補助金具が、ハカマに取り付ける際に少なくとも９０度回転させた状態で固定できるようにしてもよい。
本実施形態によれば、前述の実施形態よりも薄い天井材にも適用でき、より一層、汎用性の高い換気装置が得られる。
【０００９】
本発明の別の実施形態としては、ダクト本体が電動ファンを備えるとともに、屋外に設置した給排気口に連通する前記ダクト本体の開口部に、連動シャッターを備えておいてもよい。
前記連動シャッターは、電動式に開閉するものであってもよく、電動ファンの風圧で開閉されるものであってもよい。一般的な逆風を防止できる構成のものであれば、どのような型式のものでも使用できるが、閉鎖状態を維持できる電動式連動シャッターを使用することが好ましい。
本実施形態によれば、電動ファンの運転を停止すると、連動シャッターが連動して閉じられるので、ダクトを使用していない間の砂塵や虫等の侵入を防止できる。また、前記連動シャッターを電動式とした場合には、電動ファンと連動シャッターとの電源を共有でき、配線が容易な換気装置を得られるという効果がある。
【図面の簡単な説明】
【００１０】
【図１】本発明に係る換気装置の第１実施形態を示す施工図である。
【図２】図２Ａ，図２Ｂは図１に示した換気装置の拡大正面図，拡大底面図である。
【図３】図３Ａ，図３Ｂは図１で示した換気装置の断面図および部分拡大図である。
【図４】図４Ａは図３で図示したハカマの平面図、図４Ｂ，図４Ｃは図４Ａで示したＢ−Ｂ線断面図、Ｃ−Ｃ線断面図である。
【図５】図５Ａ，図５Ｂ，図５Ｃは図４で図示した支持金具の正面図，右側面図，底面図である。
【図６】図６Ａ，図６Ｂ，図６Ｃは図４で図示した補助金具の平面図，正面図、右側面図である。
【図７】図７Ａ，図７Ｂは図４で図示した吊り下げ用支持バネの正面図、右側面図である。
【図８】図８Ａ，図８Ｂは本発明に係る換気装置の第２実施形態を示す断面図および部分拡大図である。
【図９】本発明に係る換気装置の第３実施形態を示す施工図である。
【図１０】図１０Ａ，図１０Ｂは図９で示した換気装置の断面図および部分拡大図である。
【図１１】図１１Ａは図１０で図示したハカマの平面図、図１１Ｂ，図１１Ｃは図１１Ａで示したＢ−Ｂ線断面図、Ｃ−Ｃ線断面図である。
【図１２】本発明に係る換気装置の第４実施形態を示す施工図である。
【図１３】図１３Ａ，図１３Ｂは図１２に示した換気装置の拡大正面図，拡大底面図である。
【発明を実施するための形態】
【００１１】
本発明に係る換気装置を、図１ないし図１３の添付図面に従って説明する。
第１実施形態に係る換気装置は天井裏に施工されるものであり、図１ないし図７に示すように、天井裏に設置される排気用ダクト本体１０と、前記排気用ダクト本体１０の対向する内側面に取り付けられる第１受け金具２０と、前記ダクト本体１０の内側に摺動可能に装着されるハカマ３０と、前記ハカマ３０の対向する内側面にそれぞれ取り付けられる第２受け金具４０と、前記ハカマ３０の残る対向する内側面に取り付けられる補助金具５０と、中央部を前記補助金具５０に係合する一方、両側腕部を前記第１受け金具２０の吊り下げ溝にそれぞれ係合する吊り下げ用第１支持バネ６０と、前記ハカマ３０の下面に吊り下げ用第２支持バネ８０を介して装着される化粧グリル７０と、から構成されている。
【００１２】
前記排気用ダクト本体１０が設置される天井裏は、図１に示すように、天井下地１（２階床根太）から吊り下げ金具２を介してダクト３を吊り下げてある。また、並設された補助野縁４に吸音材５を架け渡してある一方、前記補助野縁４の下面に天井板６を固定してある。さらに、前記排気用ダクト本体１０は、その片側側面に設けたダクト３を介して屋外に設置した給排気口７に連通しているとともに、その天井面に換気用電動ファン１２を設置してある。
【００１３】
前記ダクト本体１０は、図３に示すように、その下方側の開口縁部に形成したリブ１１を、補助野縁４の下面縁部に室内側から固定することにより、前記開口部を前記天井板６の開口部８から開口している。一方、第１受け金具２０は、その垂直部２１を前記ダクト本体１０の対向する内側面に取り付けてあるとともに、その水平部２２に平面略Ｔ字形状の吊り下げ溝を有している。
【００１４】
前記ハカマ３０は、図４に示すように、前記ダクト本体１０内に収納可能な外形寸法を有し、その下方側の開口縁部にリブ３１を設けてある。そして、前記ハカマ３０は、後述する補助金具５０を取り付けるため、対向する側面の上片縁部に係合用切り欠き部３２を設けてある一方、その側面の中央部に係合溝３３，係合スリット３４を並設するとともに、係合孔３５を形成してある。また、前記ハカマ３０は、残る対向する側面に後述する第２受け金具４０を固定してあるとともに、化粧グリル７０の落下による事故を防止するために落下防止用チェーン３６を取り付けてある。
【００１５】
前記第２受け金具４０は、図５に示すように、垂直部４１に上下に長い固定用長孔４２，４３を並設してある一方、水平部４４に略Ｔ字形状の吊り下げ溝４５を形成してある。
【００１６】
補助金具５０は、図６に示すように、上下に長い固定用長孔５１を設けるとともに、その片側縁部の全体を一方側に曲げ起こして位置決め用第１リブ５２を形成してある。一方、補助金具５０は、残る片側縁部の上辺部分に略Ｌ字形の係止爪５３および抜け止め用突部５４を他方側に曲げ起こしてあるとともに、残る片側縁部の下辺部分に位置決め用第２リブ５５を一方側に曲げてある。そして、前記補助金具５０は、位置決め用第１リブ５２，第２リブ５５を前記ハカマ３０の係合溝３２、係合スリット３３および係合孔３４に適宜、係合することにより、位置決めできる。
【００１７】
吊り下げ用第１支持バネ６０は、図７に示すように、中央部に設けたコイル状の係合部６１と、前記係合部６１から両側に延在する腕部６２の先端を折り曲げて円弧状の先端部６３を形成してある。
【００１８】
化粧グリル７０は、前記ハカマ３０の開口部を被覆可能な外周形状を有するものであり、その中央開口部７１に所定の間隙を残して目隠し板７２を一体に形成してある。そして、前記中央開口部７１の上面縁部のうち、対向する上面縁部に前述の吊り下げ用第１支持バネ６０と同様な形状を有する吊り下げ用第２支持バネ８０をそれぞれ取り付けてある。
【００１９】
次に、前述の換気装置の施工方法を図３Ａ，３Ｂに従って説明する。
まず、補助野縁４の下面縁部にダクト本体１０のリブ１１を固定して設置する。一方、ハカマ３０の係合溝３３および係合スリット３４に補助金具５０の位置決め用第２リブ５５および第１リブ５２をそれぞれ係合して位置決めし、前記補助金具５０の固定用長孔５１を介してハカマ３０に補助金具５０を固定する。また、前記補助金具５０の係止爪５３に吊り下げ用第１支持バネ６０の係合部６１を係止する。さらに、前記ハカマ３０の対向する側面に化粧グリル７０を吊り下げるための第２受け金具４０を固定する。そして、前記ダクト本体１０内に前記ハカマ３０を嵌合し、前記吊り下げ用第１支持バネ６０の２本の腕部６２を前記第１受け金具２０の吊り下げ溝に係合する。ついで、前記ハカマ３０を押し上げることにより、第１受け金具２０の吊り下げ溝内で吊り下げ用第１支持バネ６０の腕部６２が両側に開き、ハカマ３０を所定の位置で保持する。
【００２０】
さらに、化粧グリル７０に取り付けた吊り下げ用第２支持バネ８０の腕部をハカマ３０に取り付けた第２受け金具４０の吊り下げ溝４５に係合して位置決めする。ついで、前記化粧グリル７０を上方に押し上げることにより、前記吊り下げ用第２支持バネ８０の腕部が両側に開き、前記化粧グリル７０を所定の位置で保持する。
【００２１】
保守，点検のために化粧グリル７０およびハカマ３０を順次、取り外す場合には、先ず、化粧グリル７０を強く引き下ろすことにより、吊り下げ用第２支持バネ８０の腕部が内側に撓み、その腕部が第２受け金具４０の吊り下げ溝内をスライドする。このため、前記化粧グリル７０が下降するとともに、天井板６の下面との間に隙間ができる。そして、前記隙間から手を入れて、前記第２支持バネ８０を第２受け金具４０から外すことにより、化粧グリル７０をハカマ３０から取り外すことができる。このとき、ハカマ３０と前記化粧グリル７０とはチェーン３６で繋がれているので、急激な落下による事故を防止できる。
【００２２】
そして、前記化粧グリル７０を取り外した後、前記ハカマ３０の開口部から手を入れて、前記第１支持バネ６０を第１受け金具２０から外すことにより、ハカマ３０をダクト本体１０から取り外すことができる。
【００２３】
第２実施形態は、図８に示すように、前述の第１実施形態よりも薄い天井板６に適用した場合である。
すなわち、前記補助金具５０の位置決め用第１，第２リブ５２，５５をハカマ３０の係合用切り欠き部３２の上辺縁部および係合孔３４にそれぞれ係合させて位置決めした後、前記補助金具５０の長孔５１を介してハカマ３０に前記補助金具５０をネジ固定する。他は前述の第１実施形態とほぼ同様であるので、同一部分には同一番号を附して説明を省略する。
【００２４】
本実施形態よれば、補助金具５０の取り付け位置を９０度回転させるだけで、天井板６の厚さの異なる現場に適用できるので、部品管理が簡単であり、汎用性の高い換気装置が得られるという利点がある。
【００２５】
第３実施形態は、図９ないし図１１に示すように、第１実施形態よりも厚さ寸法が大きい２重天井構造に適用した場合である。
前記２重天井構造は、図９に示すように、天井下地１から吊り下げ金具２を介してダクト３を吊り下げてあるとともに、並設された補助野縁４ａに吸音材５を架け渡してある。さらに、前記補助野縁４ａの下面に天井板６ａを固定するとともに、前記天井板６ａの下面に並設した補助野縁４ｂを介して天井板６ｂを設けてある。前記天井板６ａと前記天井板６ｂとの間には、吸音材５を介在させることにより、防音性能を高めてある。
そして、図１０に示すように、高さ寸法の大きいハカマ３０の対向する側面に並設した一対の係合溝３３，３７に、前記補助金具５０の位置決め用第２，第１リブ５５，５２をそれぞれ係合することにより、前記補助金具５０が位置決めされる。そして、前記補助金具５０は、その長孔５１を介してハカマ３０にネジ固定されている。
他は前述の第１実施形態と同様であるので、同一部分には同一番号を附して説明を省略する。
【００２６】
本実施形態によれば、ハカマ３０の係合溝３３，３７内を前記補助金具５０の位置決め用第２，第１リブ５５，５２をスライドさせて調整できる。このため、天井寸法が異なる他の施工現場においても使用でき、部品管理がより一層簡単になり、汎用性の高い換気装置が得られるという利点がある。
【００２７】
第４実施形態は、図１２および図１３に示すように、前述の実施形態では、排気用換気装置に適用した場合であるが、給気用換気装置に適用してもよいことは勿論である。そのような場合、屋外に設置した給排気口７に連通するダクト本体１０の開口部に、連動シャッター（図示せず）を設けておいてもよい。
本実施形態によれば、電動ファンの運転を停止すると、連動シャッターが連動して閉じられ、ダクトを使用していない間に砂塵や虫の侵入を防ぐことができる。また、連動シャッターを電動式とした場合には、電動ファンと連動シャッターとの電源を共有できるので、配線が容易な換気装置を得られるという利点がある。
他は前述の第１実施形態とほぼ同様であるので、同一部分には同一番号を附して説明を省略する。
【産業上の利用可能性】
【００２８】
本発明に係る換気装置は、前述の実施形態にかかるものに限らず、他の施工現場においても適用できることは勿論である。
【符号の説明】
【００２９】
４，４ａ，４ｂ：補助野縁
６，６ａ，６ｂ：天井板
７：給排気口
８：開口部
１０：ダクト本体
１１：リブ
１２：換気用電動ファン
２０：第１受け金具
２１：垂直部
２２：水平部
３０：ハカマ
３１：リブ
３２：係合用切り欠き部
３３，３７：係合溝
３４：係合スリット
３５：係合孔
３６：落下防止用チェーン
４０：第２受け金具
４１：垂直部
４２，４３：長孔
４４：水平部
４５：吊り下げ溝
５０：補助金具
５１：固定用長孔
５２：位置決め用第１リブ
５３：係止爪
５４：抜け止め用突部
５５：位置決め用第２リブ
６０：吊り下げ用第１支持バネ
６１：係合部
６２：腕部
６３：先端部
７０：化粧グリル
７１：中央開口部
７２：目隠し板
８０：吊り下げ用第２支持バネ
【図１】
2011075223.tif 000003
【図２】
2011075223.tif 000004
【図３】
2011075223.tif 000005
【図４】
2011075223.tif 000006
【図５】
2011075223.tif 000007
【図６】
2011075223.tif 000008
【図７】
2011075223.tif 000009
【図８】
2011075223.tif 000010
【図９】
2011075223.tif 000011
【図１０】
2011075223.tif 000012
【図１１】
2011075223.tif 000013
【図１２】
2011075223.tif 000014
【図１３】
2011075223.tif 000015